(57)【特許請求の範囲】
【請求項１】
靴の靴底と靴本体の間の接続を強化するのに適合される靴底補強具において、
金属、熱可塑プラスチック金属、またはファイバーで作られ、靴のつま先領域で靴底と靴本体の間の接続範囲を覆うよう靴のつま先領域の外側に取り付けられる第一接続手段（１０）、
前記第一接続手段（１０）から上方および下方に伸長し、前記第一接続手段（１０）を外側から覆う第一保護部（３０）、および、
前記接続範囲において、前記第一保護部（３０）、前記第一接続手段（１０）、前記靴底、および前記靴本体を貫通して固定する固定手段（２０）、から構成され、
前記第一保護部（３０）はつま先領域を衝撃荷重および鋭利な物体から保護することを特徴とする靴底補強具。
【請求項２】
さらに、靴の踵領域で靴底と靴本体の間の接続範囲を覆うよう、靴の踵領域に取り付けられる第二接続手段（４０）、および、
靴の踵領域で接続を固定するよう、前記第二接続手段（４０）を係合するための固定手段（２０）から構成される、請求項１に記載の靴底補強具。
【請求項３】
さらに、靴の踵領域で靴底と靴本体の間の接続範囲を覆うよう、前記第二接続手段（４０）から上方および下方に伸長する第二保護部（５０）から構成され、  前記第二保護部（５０）は踵領域を鋭利な物体から保護することを特徴とする、請求項２に記載の靴底補強具。
【請求項４】
前記第二接続手段（４０）は靴の踵領域の外側に取り付けられる、請求項２に記載の靴底補強具。
【請求項５】
前記第二接続手段（４０）は金属、熱可塑プラスチック金属、またはファイバーから成る群から選択される材料で作られる、請求項２に記載の靴底補強具。
【請求項６】
前記固定手段（２０）は鋲、留め具、ねじ、および飾り鋲から成る群から選択される材料で作られる、請求項１または２に記載の靴底補強具。
【発明の詳細な説明】
【技術分野】
【０００１】
本発明は、靴底と靴本体の間の接続の補強に適合される靴底補強具に関する。より詳細には、本発明は靴底と靴本体の間の接続範囲を覆う靴のつま先領域で縦方向に伸びる接続手段、接続手段を靴底と靴本体に付着させるための固着手段に関する。接続手段は靴底と靴本体を互いに保持し、かつそれらの間の既存の接着を補強するよう作用する。本発明は靴の踵領域に適用されることが可能である。
【背景技術】
【０００２】
従来の安全靴の底は、靴本体が靴内部のつま先保護キャップと縫合されている。
【０００３】
工事現場などの厳しい作業環境では、スチール棒や他の鋭利な物体が床に置かれている。多くの工事現場従事者の通常の作業は、作業者の靴が種々の物体の衝撃を受ける環境にある。
【０００４】
靴のつま先領域ははるかに衝撃を受けやすく、ひいては他の範囲に影響を及ぼしやすくなっている。この部分は、物体の落下や歩行の際床にある物体からの衝撃などを受けやすい。これにより、つまづきや重いものや鋭利な物体の上への転倒をまねくような、靴底がつま先領域で剥がれてしまうことが生じる。靴のつま先領域での底の分離はさらに、化学的環境で作業する使用者に、分離からの開口部を通って液体化学物質が浸透する危険をもたらす。
【０００５】
工事現場でよくあるように物体が研磨剤等である場合、靴の革または合成皮革材の浸食はつま先領域で顕著である。革の浸食は靴の美観や保温機能の損傷だけでなく、靴の保水能力を破損し、ゆえに健康を害する深刻な可能性を引き起こす。
【０００６】
また、工事現場の地上の液体は周辺の電気器具や装置から発する電荷を帯びていることが多いため、防水でない靴を履いている作業者は感電しやすくなる。
【０００７】
踵部分はまた、摩耗または鋭利な物体の影響も受ける。靴の踵領域の分離は、踵領域の開口部から液体物質が浸透するような化学的環境に従事する作業者に危険をもたらす。さらに、踵で底を補強すると踵領域で生じる分離が減少する。鋭利な物体に踵がはまってしまうと使用者は身動きが取れなくなる。
【０００８】
フォークリフトやトラックを操作するような材料を取り扱う作業者では、摩耗や引裂きはペダルを押圧するため脚を保持する靴の踵で生じる。ある期間を超過すると、踵は摩耗し、作業者はペダルを制御することや立っている時のバランスを保つこと、安定した歩行などが難しくなる。
【発明の概要】
【０００９】
従って、本発明の原理的な目的は靴底と靴本体の間の接続を補強することである。本発明は第一接続手段と固定手段から構成される。第一接続手段は、靴のつま先領域で靴底と靴本体の接続範囲を覆うよう、靴のつま先領域で縦方向に伸長する。固定手段は、第一接続手段を靴底に固着させる。第一接続手段は靴底と靴本体を互いに保持し、かつそれらの間の現存の接着を補強するよう作用する。
【００１０】
本発明の他の目的は、靴を摩耗から保護しまた使用者を衝撃荷重から守るためにつま先上部を包囲する、第一接続手段から上方に伸長する第一保護部を提供することである。
【００１１】
本発明の目的はさらに、靴を摩耗から保護しまた使用者を鋭利な物体から守るためにつま先下部を包囲する、第一接続手段から下方に伸長する第一保護部を提供することである。
【００１２】
本発明のまた他の目的は、つま先領域を完全に包囲するよう、第一接続手段から上方および下方に伸長する第一保護部を提供することである。
【００１３】
本発明の追加的目的は、第二接続手段と固定手段から構成される。第二接続手段は靴の踵領域で靴底と靴本体の間の接続範囲を覆うよう、靴の踵領域で縦方向に伸長する。固定手段は、第一接続手段を靴底に固着させる。第二接続手段は靴底と靴本体を互いに保持し、かつそれらの間の現存の接着を補強するよう作用する。
【００１４】
本発明の目的は、靴を摩耗から保護しまた使用者を鋭利な物体から守るために踵上部を包囲する、第二接続手段から上方に伸長する第二保護部を提供することである。
【００１５】
本発明の目的はさらに、靴を摩耗から保護しまた使用者を鋭利な物体から守るために踵下部を包囲する、第二接続手段から下方に伸長する第二保護部を提供することである。
【００１６】
また本発明の他の目的は、踵領域を完全に包囲するよう、第二接続手段から上方および下方に伸長する第二保護部を提供することである。
【００１７】
本発明の実施例の一つに説明される、金属、熱可塑プラスチック金属、またはファイバーで作られた、靴のつま先領域で靴底と靴本体の間の接続範囲を包囲するよう靴のつま先領域に外側に取り付けられる第一接続手段（１０）、および靴のつま先領域で接続を固定するよう第一接続手段（１０）を係合するための固定手段（２０）から構成される靴の靴底と靴本体の間の接続を補強するための靴底補強具は、少なくとも一つの前記目的が本発明によって全体または部分的に適合する。
【００１８】
本発明の他の実施例は、さらに、靴のつま先領域を包囲するよう第一接続手段（１０）から上方および下方に伸長する第一保護部（３０）から構成され、第一保護部（３０）はつま先領域を衝撃荷重および鋭利な物体から保護する、靴底補強具を開示する。
【００１９】
本発明のまた他の実施例は、さらに、靴の踵領域で靴底と靴本体の間の接続範囲を包囲するよう靴の踵領域に取り付けられる第二接続手段（４０）、および靴の踵領域で接続を固定するよう第二接続手段（４０）を係合するための固定手段（２０）から構成されことが可能であることを開示する。
【００２０】
さらに本発明の他の実施例は、靴の踵領域を包囲するよう、第二接続手段（４０）から上方および下方に伸長する第二保護部（５０）から構成され、第二保護部（５０）は靴の踵領域を鋭利な物体から保護する靴底補強具を開示する。
【００２１】
本発明は、使用者の作業環境に基づいて靴を摩耗および衝撃から保護する範囲内で、使用者が決定することが可能である。
【００２２】
本発明は、特定の新奇の特徴、および以下に付随する図面に記述および説明され、特に添付の特許請求で指摘される部分の結合から成る。発明の範囲から逸脱しない限り、または本発明のいずれの利点を犠牲にしない限り、詳細での様々な変更がなされうることが理解される。
【図面の簡単な説明】
【００２３】
本発明の理解を促す目的のため、追随する説明、発明、その構成および操作に関連して考慮される場合、その検証から好適な実施例が付随の図面で説明され、およびその利点の多くは直ちに理解および評価されうる。
【００００】
【図１】靴のつま先領域で固定手段によって固着される第一接続手段を示す、本発明の靴底補強具の斜視図である。
【図２】図１のA−A線に沿った断面図である。
【図３】靴のつま先上部領域を包囲する、第一接続手段から上方に伸長する第一保護部を示す、本発明の靴底補強具の斜視図である。
【図４】図３のB−B線に沿った断面図である。
【図５】靴のつま先下部領域を包囲する、第一接続手段から下方に伸長する第一保護部を示す、本発明の靴底補強具の斜視図である。
【図６】図５のC−C線に沿った断面図である。
【図７】靴のつま先領域を完全に包囲する、第一接続手段から上方および下方に伸長する第一保護部を示す、本発明の靴底補強具の斜視図である。
【図８】図７のD−D線に沿った断面図である。
【図９】靴の踵領域で固定手段によって固着される第二接続手段を示す、本発明の靴底補強具の斜視図である。
【図１０】図９のE−E線に沿った断面図である。
【図１１】靴の踵上部領域を包囲する、第二接続手段から上方に伸長する第二保護部を示す、本発明の靴底補強具の斜視図である。
【図１２】図１１のF−F線に沿った断面図である。
【図１３】の踵下部領域を包囲する、第二接続手段から下方に伸長する第二保護部を示す、本発明の靴底補強具の斜視図である。
【図１４】図１３のG−G線に沿った断面図である。
【図１５】靴の踵領域を完全に包囲する、第二接続手段から上方および下方に伸長する第二保護部を示す、本発明の靴底補強具の斜視図である。
【図１６】図１５のH−H線に沿った断面図である。
【図１７】第一保護部が靴のつま先領域を完全に包囲し、および第二保護部が靴の踵領域を完全に包囲するものを示す、本発明の靴底補強具の斜視図である。
【図１８】図１７のI−I線に沿った断面図である。
【図１９】靴のつま先領域で固定手段によって固着される複数の接続手段を示す、本発明の靴底補強具の斜視図である。
【発明を実施するための形態】
【００２４】
本発明は、靴底と靴本体の間の接続を補強する靴底補強具に関する。より詳細には、本発明は靴のつま先領域で靴底と靴本体の間の接続範囲を覆うよう、靴のつま先領域で縦方向に伸長する第一接続手段、および第一接続手段を靴底と靴本体に固着させる固定手段に関する。第一接続手段は、靴底と靴本体を互いに保持し、かつそれらの間の既存の接着を補強するよう作用する。これより靴底補強具は、本発明の好適な実施例に従って、および付随する説明および図面を参照することにより、説明されるものとする。しかしながら、本発明の好適な実施例および図面の制限的な説明は、単に本発明の検討を促進するためにすぎないことが理解されなければならず、および添付の特許請求の範囲から逸脱しない限り、同業者によって種々の変更が考案されうることが想定される。
【００２５】
図１および図２は本発明の基本的な実施例を示す。第一接続手段（１０）は靴のつま先領域で縦方向に伸長する。より詳細には、靴のつま先領域は、靴の前部を包囲およびつま先まで伸長する靴のバンプに関する。固定手段は第一接続手段（１０）、靴底、靴本体、およびつま先キャップに、互いに結合するため挿入される。第一接続手段（１０）は靴底と靴本体を互いに保持し、それらの間の既存の接着を補強するよう作用する。
【００２６】
図３および４は、靴を摩耗から保護しまた使用者を衝撃荷重から守るため靴のつま先上部領域を包囲する、第一接続手段（１０）から上方に伸長する第一保護部（３０）を示す。
【００２７】
図５および６は、靴を摩耗から保護するためつま先下部領域を包囲する、第一接続手段（１０）から下方に伸長する第一保護部（３０）を示す。
【００２８】
。
【００２９】
図９および１０は、本発明の第二実施例を示す。第二接続手段（４０）は靴の踵領域で縦方向に伸長する。固定手段は、第二接続手段（４０）、靴底および靴本体に、それらを互いに結合するため挿入される。第二接続手段（４０）は靴底と靴本体を互いに保持し、かつそれらの間の既存の接着を補強するよう作用する。
【００３０】
図１１および１２は、靴を摩耗から保護しまた使用者を鋭利な物体から守るため靴の踵上部領域を包囲する、第二接続手段（４０）から上方に伸長する第二保護部（５０）を示す。
【００３１】
図１３および１４は、靴を摩耗から保護しまた使用者を鋭利な負荷から守るため靴の踵下部領域を包囲する、第二接続手段（４０）から下方に伸長する第一第二保護部（５０）を示す。
【００３２】
図１５および１６は、靴の踵領域を完全に包囲する、第二接続手段（４０）から上方および下方に伸長する第二保護部（５０）を示す。
【００３３】
図１７および１８は、第一保護部（１０）が靴のつま先領域を完全に包囲し、および第二保護部（４０）が靴の踵領域を完全に包囲しているものを示す。
【００３４】
図１９は本発明の第三実施例を示す。複数の接続手段（７０）が靴の踵領域で固定手段（２０）によって固着される。
【００３５】
本発明は、使用者の作業環境に基づいた靴のための保護の範囲内で、使用者が決定することが可能である。
【００３６】
前述の明細書で本発明は特定の好適な実施例に関して記述され、また多くの詳細は例証目的のため説明されたが、本発明は追加的な実施例を許容し、かつ本文で説明された詳細は本発明の基本的な原理を逸脱しない限り種々に考慮されることが可能であることは、同業者に明らかである。
【符号の説明】
【００００】
１０第一接続手段
２０固定手段
３０第一保護部
４０第二接続手段
５０第二保護部
７０複数の接続手段
【図１】
0005505805.tif 000002
【図２】
0005505805.tif 000003
【図３】
0005505805.tif 000004
【図４】
0005505805.tif 000005
【図５】
0005505805.tif 000006
【図６】
0005505805.tif 000007
【図７】
0005505805.tif 000008
【図８】
0005505805.tif 000009
【図９】
0005505805.tif 000010
【図１０】
0005505805.tif 000011
【図１１】
0005505805.tif 000012
【図１２】
0005505805.tif 000013
【図１３】
0005505805.tif 000014
【図１４】
0005505805.tif 000015
【図１５】
0005505805.tif 000016
【図１６】
0005505805.tif 000017
【図１７】
0005505805.tif 000018
【図１８】
0005505805.tif 000019
【図１９】
0005505805.tif 000020